(57)【要約】【課題】高強度な屋根の谷部構造を備えた建物を得る。【解決手段】谷木４１は、第１谷部Ｖ１に沿って設けられ、その一端が頂部転び止め材３０に、他端がガーダートラス３２の側面にてアングル５５により連結されている。軒谷木４２は、同様にして第１谷部Ｖ１に沿って設けられ、その一端がガーダートラス３２の側面にて軒谷木受け具５６により連結されている。他端は軒部５０の先端である軒先に至るまで延びており、その端部には傾斜面部６０ａ，６０ｂの２辺を有する軒先金具６０が取り付けられている。この軒先金具６０の傾斜面部６０ａに沿って、軒部５０のコーナ部近傍にて直行する鼻隠し木４４，４５のうち一方の鼻隠し木４４がビス等により取り付けられている。そして、谷木４１及び軒谷木４２に跨るようにして、野地板７０を支持する谷板４３が取り付けられている。【選択図】図２
2008223299.tif 000002
【特許請求の範囲】
【請求項１】
複数の屋根トラスを用いて屋根を支持するとともに、その屋根の一部には谷部が形成されており、さらにその谷部に沿って延びて前記屋根の一部を支持する谷木を備えた建物であって、
前記谷部に沿った前記谷木の延長上でありかつ建物の外壁から突出された軒部に配置される軒谷木を備え、その軒谷木が前記各屋根トラスのうち所定の屋根トラスに連結されていることを特徴とする建物。
【請求項２】
前記谷木と前記軒谷木とが前記屋根の谷部と平行な一直線上に配置されている請求項１に記載の建物。
【請求項３】
前記軒谷木は前記屋根トラスに設けられた連結具を介して連結されている請求項１又は２に記載の建物。
【請求項４】
前記連結具は、前記谷木の傾斜角度と同一の傾斜角度を有する受け部を備え、その受け部に前記軒谷木の一端部を受け止めさせた状態で両者が取り付けられている請求項３に記載の建物。
【請求項５】
前記屋根トラスは、少なくとも上弦材と下弦材とこれらを連結する連結金具とからなるガーダートラスであり、少なくともガーダートラスの一端が前記谷木の延長上に位置して当該一端に前記軒谷木が取り付けられている請求項１乃至４のいずれかに記載の建物。
【請求項６】
前記谷木と前記軒谷木とに跨るようにして谷板が設けられている請求項１乃至５のいずれかに記載の建物。
【請求項７】
前記谷板が前記谷木及び軒谷木に所定の取付角度で取り付けられるように、谷木及び軒谷木に前記谷板の取付角度の規制部が形成されている請求項６記載の建物。
【請求項８】
前記軒谷木の先端には、鼻隠し木が固定されている請求項１乃至７のいずれかに記載の建物。
【請求項９】
前記軒谷木の先端部と前記鼻隠し木とは面接触された状態で取り付けられている請求項８に記載の建物。
【請求項１０】
前記軒谷木の先端には、前記鼻隠し木と面接触される傾斜面部を備えた軒先具が取り付けられており、当該軒先具により前記軒谷木の先端部が構成されている請求項９に記載の建物。
【発明の詳細な説明】
【技術分野】
【０００１】
本発明は、屋根の谷部構造を備えた建物に関する。
【背景技術】
【０００２】
住宅等の建物における屋根の谷部構造として、和風小屋組であれば、谷部に沿って棟木から軒桁を介して軒先まで延びる１本の谷木が架け渡され、この谷木の上部に谷板が配され、この谷板に屋根を構成する野地板等の屋根材が取り付けられる技術が知られている。
【０００３】
また、数種類の屋根トラスから構成される小屋組であれば、所定位置に配置された外壁上に屋根トラスを載置したり、通常の屋根トラスよりも頑強なガーダートラスを架け渡したりして小屋組を構築した後に、複数の屋根トラスにより形成される谷部に沿って、谷木が取り付けられる技術が知られている（例えば、特許文献１参照）。
【０００４】
これによれば、工場にて予め組み付けられた屋根トラスを現場にて建物本体に取り付けることで小屋組が完成するため、現場での品質のバラツキがなく、高強度な小屋組を備えた建物が構築できるものとされている。
【特許文献１】特開平１０−８５６４号公報
【発明の開示】
【発明が解決しようとする課題】
【０００５】
しかしながら、上記技術では、谷木を谷部に沿って棟から軒先まで架け渡そうとしても、その途中に配置されているガーダートラスに干渉するため、棟からガーダートラスの側面までしか配することができない。そのため、軒部においては、野地板等を支持する谷木が無いため、野地板等の取り付け状態が不安定な状態になっている。したがって、長期の視点では軒部がクリープ現象により垂れ下がってしまうおそれもあり、強度の観点からでは、不十分であると考えられる。
【０００６】
そこで、本発明は、上記事情に鑑みてなされたものであり、高強度な屋根の谷部構造を備えた建物を提供することを主たる目的とするものである。
【課題を解決するための手段】
【０００７】
上記課題を解決するために、第１の発明では、複数の屋根トラスを用いて屋根を支持するとともに、その屋根の一部には谷部が形成されており、さらにその谷部に沿って延びて前記屋根の一部を支持する谷木を備えた建物であって、前記谷部に沿った前記谷木の延長上でありかつ建物の外壁から突出された軒部に配置される軒谷木を備え、その軒谷木が前記各屋根トラスのうち所定の屋根トラスに連結されていることを特徴とする。
【０００８】
第１の発明によれば、谷部に沿った谷部の延長上でかつ軒部に配置される軒谷木を備えており、その軒谷木が所定の屋根トラスに連結されている。このため、軒部の谷部において、屋根を構成する野地板等の屋根材を軒谷木により支持することができる。その結果、経年によって生じる軒部の垂れ下がり現象を抑制することができる。
【０００９】
また、第２の発明では、第１の発明において、前記谷木と前記軒谷木とが前記屋根の谷部と平行な一直線上に配置されていることを特徴とする。
【００１０】
第２の発明によれば、谷木と軒谷木とが屋根の谷部と平行な一直線上に配置されている。このため、仮に谷木と軒谷木とが一直線上に配置されていないとすれば、各谷木の配置位置に合わせて野地板等の屋根材を取り付けなければならず、その取付作業が煩雑となるが、本発明ではこれを解消することができる。また、第６の発明のように両谷木に跨って谷板を配置する場合には、その谷板を好適に支持することができる。
【００１１】
第３の発明では、第１又は第２の発明において、前記軒谷木は前記屋根トラスに設けられた連結具を介して連結されていることを特徴とする。
【００１２】
第３の発明によれば、屋根トラスに設けられた連結具によって、軒谷木の位置決めを容易に行うことができる。
【００１３】
第４の発明では、第３の発明において、前記連結具は、前記谷木の傾斜角度と同一の傾斜角度を有する受け部を備え、その受け部に前記軒谷木の一端部を受け止めさせた状態で両者が取り付けられていることを特徴とする。
【００１４】
第４の発明によれば、連結具は、谷木の傾斜角度と同一の傾斜角度を有する受け部を備えており、その受け部に軒谷木の一端部を受け止めさせた状態で両者が取り付けられている。このため、軒谷木の傾斜角度を谷木の傾斜角度と同一にするための角度調整作業が不要となり、その取付作業が容易となる。また、両谷木の傾斜角度が同一であるため、両谷木に跨って取り付けられる直線状の谷板を好適に支持することができる。
【００１５】
第５の発明では、第１乃至第４のいずれかに記載の発明において、前記屋根トラスは、少なくとも上弦材と下弦材とこれらを連結する連結金具とからなるガーダートラスであり、少なくともガーダートラスの一端が前記谷木の延長上に位置して当該一端に前記軒谷木が取り付けられていることを特徴とする。
【００１６】
第５の発明によれば、屋根トラスがガーダートラスであり、そのガーダートラスの一端が谷木の延長上に位置することから、谷木のそれ以上の延長を阻害するものであるところ、本発明では当該ガーダートラスを谷木の再スタート箇所としてガーダートラスの一端に軒谷木が取り付けられている。このため、ガーダートラスの存在にかかわらず軒谷木を谷木の延長上に配置させることができる。
【００１７】
第６の発明では、第１乃至第５のいずれかに記載の発明において、前記谷木と前記軒谷木とに跨るようにして谷板が設けられていることを特徴とする。
【００１８】
第６の発明によれば、谷木と軒谷木とに跨るようにして谷板が設けられているため、谷木及び軒谷木に対して別々の谷板を取り付ける必要がなく、その取付作業が容易となる。また、谷板が分断されていなことから、谷部構造の支持強度を高め、野地板等の屋根材を好適に支持することができる。
【００１９】
第７の発明では、第６の発明において、前記谷板が前記谷木及び軒谷木に所定の取付角度で取り付けられるように、谷木及び軒谷木に前記谷板の取付角度の規制部が形成されていることを特徴とする。
【００２０】
第７の発明によれば、谷板が両谷木に所定の取付角度で取り付けられるように、当該両谷木に谷板の取付角度の規制部が形成されている。このため、両谷木に対する谷板の取付作業が容易となるだけでなく、所望の谷板の取付角度を容易に得ることができる。なお、規制部としては、例えば両谷木の谷木との当接面によって構成することができ、この場合には両谷木の当接面を同一面に配置することによって規制部として機能する。
【００２１】
第８の発明では、第１乃至第７のいずれかに記載の発明において、前記軒谷木の先端には、鼻隠し木が固定されていることを特徴とする。
【００２２】
第８の発明によれば、軒谷木の先端には、鼻隠し木が固定されている。すなわち、軒谷木は、屋根トラスと鼻隠し木との間に架け渡されて、その両端が固定されている状態となっている。このため、軒谷木の上部に設けられる野地板等の屋根材をより確実に支持することができる。
【００２３】
第９の発明では、第８の発明において、前記軒谷木の先端部と前記鼻隠し木とは面接触された状態で取り付けられていることを特徴とする。
【００２４】
第９の発明によれば、軒谷木の先端部と鼻隠し木とが面接触された状態で取り付けられている。このため、軒谷木及び鼻隠し木の接触面同士を当接させることにより取付角度を容易に設定することができる。また、その取付作業、例えばビス止め作業が容易となる。さらに、軒谷木及び鼻隠し木を互いに安定した状態で連結することができる。
【００２５】
第１０の発明では、第９の発明において、前記軒谷木の先端には、前記鼻隠し木と面接触される傾斜面部を備えた軒先具が取り付けられており、当該軒先具により前記軒谷木の先端部が構成されていることを特徴とする。
【００２６】
第１０の発明によれば、軒谷木の先端には、傾斜面部を備えた軒先具が取り付けられており、当該軒先具により軒谷木の先端部が構成されている。このため、軒先具の傾斜面部に鼻隠し木を取り付けるだけで容易に面接触させることができる。また、面接触させるために軒谷木の先端部を特殊加工しなくても済むという製造上の利点がある。
【００２７】
なお、本明細書において記載されている、谷木，軒谷木，鼻隠し木の部材については木製に限定されるものではなく、例えば金属製や樹脂製等をも含み、特定の材質に限定されるものではない。
【発明を実施するための最良の形態】
【００２８】
以下に、一実施の形態について図面を参照しつつ説明する。図１（ａ）は一実施形態における屋根形状及び壁パネルの配置を示す平面図、（ｂ）は屋根トラスの配置を示す平面図、図２は軒部近傍の谷部構造を示す平面図、図３は軒谷木がガーダートラスに連結されている状態を示す斜視図、図４（ａ）は軒谷木受け具を示す斜視図、（ｂ）は軒谷木がガーダートラスに連結されている状態を示す縦断面図、図５は軒谷木に谷板が取り付けられている状態を示す縦断面図、図６（ａ）は軒谷木と軒先金具とが分離している状態を示す斜視図、（ｂ）は軒谷木に軒先金具が取り付けられている状態を示す斜視図である。なお、説明の便宜上、図２及び図３に記載されている谷板は２点鎖線により仮想的に示している。
【００２９】
最初に建物１０の概要について説明する。なお、本実施形態の建物１０は、枠組壁工法の枠材をスチール製に置き換えた鉄骨骨組壁工法（スチールハウス）により建造されたものである。
【００３０】
図１（ａ）に示すように、建物１０は、第１建物部１１及び第２建物部１２から構成されている。第１建物部１１と第２建物部１２とは直交配置されており、平面視において全体として断面Ｌ字形状になっている。
【００３１】
第１建物部１１は、複数枚の壁パネル１３が所定位置に配されることによりなる第１建物部本体１４とその上部に設けられる第１小屋組１５とを備えている。同様に、第２建物部１２は、複数枚の壁パネル１６が所定位置に配されることによりなる第２建物部本体１７とその上部に設けられる第２小屋組１８とを備えている。
【００３２】
第１小屋組１５は、図１（ｂ）に示すように、複数のトラス２０〜２８と頂部転び止め材３０とから構成されている。各トラス２０〜２８は、スチールフレームよりなる外枠をボルト等により互いに連結されて縦断面が略二等辺三角形状に形成され、その外枠の間を繋ぐように複数の束材及び斜材が組み付けられている。これらトラス２０〜２８は、第１建物部本体１４の上部にその長手方向（図１（ｂ）の左右方向）に所定間隔をおいてそれぞれ配設されている。このように配設されたトラス２０〜２８の頂部には、その頂部同士を連結する頂部転び止め材３０が２本組み付けられている。
【００３３】
第２小屋組１８は、トラス３１、ガーダートラス３２、サドルトラス３３及び頂部転び止め材３４から構成されている。トラス３１及びガーダートラス３２は、第２建物部本体１７の上部にその短手方向（図１（ｂ）の上下方向）に所定間隔をおいてそれぞれ配設されている。詳細には、ガーダートラス３２は、第１建物部本体１４と第２建物部本体１７との境界部分に配設されている。ガーダートラス３２には、第１小屋組１５を構成するトラスのうちトラス２５〜２７の一端がボルト等により連結固定されている。すなわち、本実施形態における建物１０が全体として平面Ｌ字状に形成されることから、第１建物部１１と第２建物部１２との境界部分には壁パネル１３，１６が存在せず、第１小屋組１５を構成するトラスのうち上記境界部分に一端が配置されるトラス２５〜２７を下方から支えることができない。そこで、上記境界部分にガーダートラス３２を配置して前記各トラス２５〜２７の一端を支持している。
【００３４】
ガーダートラス３２の手前側（図１（ｂ）の下側）にはトラス３１が複数（例えば２枚）配設されている。これらトラス３１及びガーダートラス３２の頂部には、その頂部同士を連結する頂部転び止め材３４が２本組み付けられている。
【００３５】
ガーダートラス３２の奥側（図１（ｂ）の上側）にはサドルトラス３３が配設されている。詳細には、サドルトラス３３は、第１小屋組１５を構成するトラスのうちトラス２５〜２７の上部に配設されている。このため、サドルトラス３３は、トラス３１及びガーダートラス３２よりも外枠の大きさが小さく形成されている。
【００３６】
第１小屋組１５と第２小屋組１８とが交わる部分には、溝形の第１谷部Ｖ１，第２谷部Ｖ２がそれぞれ形成されている。
【００３７】
以下に、第１谷部Ｖ１を例に谷部構造について詳しく説明する。
【００３８】
図１，図２に示すように、谷木４１は、第１谷部Ｖ１に沿って設けられ、その一端が頂部転び止め材３０に、他端がガーダートラス３２の側面にてアングル５５により連結されている。ここで、図３に示すように、ガーダートラス３２は、上弦材３２ａと下弦材３２ｂとその両者の間に設けられる斜材や束材及びこれらトラス材を連結するガセットプレート３５とからなり、全体として略二等辺三角形状に形成されている。このガーダートラス３２の一端は、谷木４１の延長上に位置し、壁パネル１６の上部に配置されている頭つなぎ材５７上に載置されている。このため、谷木４１を棟から軒部５０に至るまで延ばそうとしても、その途中に配置されているガーダートラス３２と干渉してしまうため、谷木４１の先端は、上記のようにガーダートラス３２の側面位置まで延びるにとどまっている。
【００３９】
そこで、本実施形態においては、軒部５０に第１谷部Ｖ１に沿った軒谷木４２が設けられている。具体的には、軒谷木４２の一端が平板状のガセットプレート３５に軒谷木受け具５６を介して連結され、他端が軒部５０の先端である軒先のコーナ部近傍に至るまで延びている。
【００４０】
軒谷木受け具５６の詳細について説明すると、軒谷木受け具５６は、鋼板を折り曲げることにより形成されており、ガセットプレート３５に取り付けられる取付部５６ａと、その取付部５６ａの一端から第１谷部Ｖ１に沿って延びて軒谷木４２の一側面が当接される当接部５６ｂと、その当接部５６ｂの下端から直角に延びて軒谷木４２の下面を受ける受け部５６ｃと、その受け部５６ｃのもう一端から上方へ延びるとともに当接部５６ｂと平行となって軒谷木４２を挟み込む折り返し部５６ｄとを有している（図４（ａ）参照）。軒谷木受け具５６は、ガーダートラス３２に取り付けられた状態で、受け部５６ｃの傾斜が谷木４１の傾斜と同一傾斜となるように形成されている。
【００４１】
この当接部５６ｂ、受け部５６ｃ及び折り返し部５６ｄに囲まれた凹部に軒谷木４２が嵌め込まれてボルト等により連結されている。これにより、軒谷木４２は、軒谷木受け具５６に取り付けるだけで所望の角度（第１谷部Ｖ１の勾配）に位置決めされる（図４（ｂ）参照）。これにより、谷木４１と軒谷木４２とが第１谷部Ｖ１に沿った一直線上に配置されている。
【００４２】
谷木４１及び軒谷木４２の上面には、これら両谷木に跨るようにして谷板４３が取り付けられている。図５に示すように、谷板４３は、谷木４１及び軒谷木４２の上面に固定される長尺板状の底板部４３ａと、この底板部４３ａの長手方向に沿った両端からそれぞれ外側上方へ広がるようにして延びる傾斜板部４３ｂとを有している。なお、傾斜板部４３ｂの傾斜角度は、屋根勾配に対応してそれぞれ設定されている。
【００４３】
ここで、谷木４１及び軒谷木４２は、いずれも角形鋼管とされ、その上面が平板状に形成されている。そのため、これらの上面に谷板４３の底板部４３ａが当接された状態で取り付けられることにより谷板４３の取付角度が規制される。その結果、谷板４３の取付角度の調整を行わなくてもよいため、その取付作業が容易となる。また、谷板４３の取付不良から生じる傾斜板部４３ｂの傾斜角度の誤差を抑制することができる。なお、谷木４１及び軒谷木４２は、いずれも溝形鋼であってもよいし角形鋼管及び溝形鋼の組み合わせであってもよい。
【００４４】
各傾斜板部４３ｂには、互いの突合せ端部により第１谷部Ｖ１を形成する一対の野地板７０が固定されている。詳細には、一対の野地板７０の突合せ端部において各底面が各傾斜板部４３ｂの上面に当接され、その当接面にてビス等により固定されている。これにより、野地板７０が屋根勾配となる所定角度を持って位置決めされている。その結果、野地板７０のうち軒部５０に配置される部分については、谷板４３を介して軒谷木４２により支持されている。
【００４５】
軒谷木４２の軒部５０先端（軒先）には、軒先金具６０が取り付けられている。軒先金具６０は、図６（ａ）に示すように、鋼板を折り曲げることにより形成される傾斜面部６０ａ，６０ｂと、これら傾斜面部６０ａ，６０ｂの各端部から軒谷木４２側に平行に延びる一対の側面部６０ｃとを有している。軒先金具６０は、両側面部６０ｃが軒谷木４２の両側面よりも外側になるようにして軒谷木４２に嵌め込まれた状態で、両側面部６０ｃにてビス６１により取り付けられている（図６（ｂ）参照）。傾斜面部６０ａ，６０ｂは先端部において直角に折り曲げられており、軒谷木４２の延びる方向に対してはそれぞれ４５度の傾斜角となっている。
【００４６】
この軒先金具６０の傾斜面部６０ａには、図２に示すように、鼻隠し木４４がビス等により取り付けられている。より詳細には、鼻隠し木４４の先端部の側面（図２では右側側面）と傾斜面部６０ａとが面接触した状態で取り付けられている。鼻隠し木４４は、軒先金具６０の傾斜面部６０ａに沿いかつ第２小屋組１８を構成するトラス３１等の端面に沿って取り付けられている。
【００４７】
また、この鼻隠し木４４の先端部近傍の側面（図２では左側側面）には、鼻隠し木４４の延びる方向に対して直角方向に延びる鼻隠し木４５がビス等により取り付けられている。鼻隠し木４５は、その端面が鼻隠し木４４の側面に当接されているとともに、第１小屋組１５を構成するトラス２３等の端面に沿って取り付けられている。
【００４８】
これらにより、軒谷木４２は、ガーダートラス３２及び鼻隠し木４４によりその両端が支持されており、軒谷木４２がガーダートラス３２のみならず鼻隠し木４４，４５を介して他のトラス２３，３１等にも関連して各部が密に連結されることとなり、軒谷木４２が片持ち支持されるような不安定な状況が回避されている。
【００４９】
なお、詳細な説明は省略するが、第２谷部Ｖ２においても、以上説明した第１谷部Ｖ１における谷部構造とほぼ同様の谷部構造が形成されている。
【００５０】
以上説明した構成を備えていることにより、本実施形態の屋根の谷部構造では、以下に示す有利な効果が得られる。
【００５１】
軒谷木４２を第１谷部Ｖ１に沿って設け、その一端をガーダートラス３２に連結した。これにより、軒部５０の第１谷部Ｖ１において、野地板７０を軒谷木４２により支持することができる。その結果、第１谷部Ｖ１における軒部５０の経年によって生じる垂れ下がり現象を抑制することができる。
【００５２】
軒谷木４２をガーダートラス３２のガセットプレート３５に連結するに際して、軒谷木受け具５６を利用した。これにより、軒谷木４２の位置調整を行うことなく、谷木４１の傾斜と同一の傾斜により連結することができるため、その取付作業が容易となる。しかも、平板状のガセットプレート３５に取り付けたことにより、軒谷木受け具５６を安定した状態で取り付けることができる。すなわち、例えば、軒谷木受け具５６を細長の上弦材３２ａ等のトラス材に取り付けようとした場合には、その取り付け部位が狭小であるためにその取付作業が困難となるばかりか取付状態が不安定となるおそれがある。本実施形態では、このような不都合を解消することができる。
【００５３】
谷木４１と軒谷木４２とを一直線上に配置した。これにより、これら両谷木に沿って野地板７０を好適に取り付けることができる。すなわち、仮に、谷木４１と軒谷木４２とが一直線上に配置されていない場合には、各谷木の配置位置に合わせて野地板７０を取り付けなければならず、その取付作業が煩雑となるが、本実施形態では、これを解消することができる。
【００５４】
谷木４１と軒谷木４２とに跨るようにして谷板４３を取り付けた。これにより、谷木４１及び軒谷木４２に対して別々の谷板４３を取り付ける必要がなく、その取付作業が容易となる。また、谷板４３が分断されていなことから、第１谷部Ｖ１の支持強度を高め、野地板７０を好適に支持することができる。しかも、傾斜板部４３ｂに沿って野地板７０を取り付けることにより、野地板７０の位置決めを容易に行うことができる。
【００５５】
軒谷木４２の先端を鼻隠し木４４，４５が直交する位置に至るまで延ばし、当該軒谷木４２の一端に鼻隠し木４４を取り付けた。これにより、軒部５０に配置される野地板７０をより確実に支持することができる。また、鼻隠し木４４をトラス２３等の端面に沿って取り付ける際、鼻隠し木４４の端部を軒谷木４２の軒部５０側の先端部に合わせて取り付ければよいため、鼻隠し木４４の位置決めが容易となる。
【００５６】
鼻隠し木４４の軒谷木４２への取り付けは、軒谷木４２の先端に取り付けた軒先金具６０の傾斜面部６０ａに沿わせることにより行われるようにした。これにより、鼻隠し木４４の角度調整を行わなくても取付角度を決めることができる。また、ビス止め作業が容易に行うことができる。さらに鼻隠し木４４を安定した状態で軒谷木４２に連結することができる。
【００５７】
軒先金具６０を軒谷木４２に取り付けることにより、その先端部を直角形状とした。これにより、軒先金具６０を第１谷部Ｖ１の軒部５０だけでなく、第２谷部Ｖ２の軒部５０に用いることもできる。この場合、軒先金具６０の傾斜面部６０ｂに鼻隠し木４４を取り付ければよく、その汎用性を高めることができる。
【００５８】
別体の軒先金具６０を軒谷木４２に取り付けた。これにより、軒谷木４２と鼻隠し木４４とを面接触させるために、軒谷木４２の先端部を特殊加工しなくても済むという製造上有利な点がある。
【００５９】
軒先金具６０の両側面部６０ｃが軒谷木４２の両側面よりも外側になるように取り付けた。これにより、軒先金具６０の棟側への位置ずれを抑制し、鼻隠し木４４の取付状態を安定保持することができる。
【００６０】
なお、以上説明した実施の形態に限らず、例えば以下に別例として示した形態で実施することもできる。
【００６１】
・上記実施の形態では、軒谷木４２の上面部４２ａに、谷板４３を取り付け、その谷板４３の傾斜板部４３ｂに沿って野地板７０をそれぞれ取り付けたが、次のように変更してもよい。例えば、図７に示すように、谷木８０に上面部８０ａの左右中央部を突出させることによりなる２つの傾斜面８０ｂを形成する。この上面部８０ａの形状・大きさに合わせて横断面Ｗ字状となる谷板８１の底面部８１ａを形成する。そして、谷板８１の底面部８１ａを谷木８０の上面部８０ａに当接させ、その当接面にて固定する。この谷板８１の底面部８１ａと傾斜面８１ｂとの間に形成される係合凹部８１ｃに、野地板７０を突き合わせるようにして取り付けてもよい。これらによれば、各野地板７０の端面が谷板８１の底面部８１ａにそれぞれ当接されて斜め下方への移動が規制されるため、より確実に野地板７０を支持することができる。
【００６２】
・上記実施の形態では、谷木４１及び軒谷木４２に別体の谷板４３を取り付けたが、谷木及び軒谷木４２の各上面部の角部から、外側上方に広がるようにして延びる傾斜板部を一体的に形成し、これら両谷木の上面部に谷板４３の機能を付加してもよい。これによれば、現場において、谷木４１及び軒谷木４２に対する谷板４３の取付作業が不要となり、現場作業の負担が軽減する。
【００６３】
・上記実施の形態では、軒谷木４２の一端部に別体の軒先金具６０を取り付けたが、必ずしも軒先金具６０を取り付ける必要がなく、軒谷木４２の一端部に鼻隠し木４４と面接触させるための傾斜面部を一体的に形成してもよい。この場合、軒谷木４２に対する軒先金具６０の取付作業を省略することができる。
【００６４】
・上記実施の形態では、鉄骨骨組壁工法（スチールハウス）の建物１０に適用したが、特定の工法に限定されず、ユニット工法の建物など、トラスを用いて構築される屋根を備えた各種工法を用いた建物に適用することができる。
【図面の簡単な説明】
【００６５】
【図１】（ａ）一実施形態における屋根形状及び壁パネルの配置を示す平面図、（ｂ）屋根トラスの配置を示す平面図。
【図２】軒部近傍の谷部構造を示す平面図。
【図３】軒谷木がガーダートラスに連結されている状態を示す斜視図。
【図４】（ａ）軒谷木受け具を示す斜視図、（ｂ）軒谷木がガーダートラスに連結されている状態を示す縦断面図。
【図５】軒谷木に谷板が取り付けられている状態を示す縦断面図。
【図６】（ａ）軒谷木と軒先金具とが分離している状態を示す斜視図、（ｂ）軒谷木に軒先金具が取り付けられている状態を示す斜視図。
【図７】谷部構造の別例を示す縦断面図。
【符号の説明】
【００６６】
１０…建物、２０〜２８…トラス、３２…ガーダートラス、３２ａ…上弦材、３２ｂ…下弦材、３５…連結金具としてのガセットプレート、４１…谷木、４２…軒谷木、４３…谷板、４４，４５…鼻隠し木、５０…軒部、５５…アングル、５６…連結具としての軒谷木受け具、５６ｃ…受け部、６０…軒先具としての軒先金具、６０ａ，６０ｂ…傾斜面部、７０…野地板、Ｖ１…第１谷部、Ｖ２…第２谷部。
【図１】
2008223299.tif 000003
【図２】
2008223299.tif 000004
【図３】
2008223299.tif 000005
【図４】
2008223299.tif 000006
【図５】
2008223299.tif 000007
【図６】
2008223299.tif 000008
【図７】
2008223299.tif 000009